(57)【要約】【課題】電力消費者に対して家電製品の使用電力量を簡便かつセキュアに測定し通知する。【解決手段】電力分析表示装置と、家庭内電力線を介して前記電力分析表示装置に接続された複数の電力測定通知装置とを備え、電力測定通知装置は、接続された家電製品の電力消費量情報を測定する電力測定部と、測定した電力消費量情報を電力分析表示装置に送信、あるいは、電力分析表示装置からの通知命令を受信するＰＬＣ通信部と、通知命令を受信したことを電力消費者に知らせるための通知部とを有し、電力分析表示装置は、電力測定通知装置から送信された電力消費量情報を分析する分析部と、分析結果を各電力測定通知装置ごとにランキングで表示する表示部と、表示部に表示された電力測定通知装置を選択する選択部と、各電力測定通知装置から送信された電力消費量情報を受信、あるいは、選択部で選択された電力測定通知装置に対して通知命令を送信するＰＬＣ通信部とを有し、家電製品ごとの電力消費状況に応じた通知を利用者へ発行する。【選択図】図１
2009281855.tif 000002
【特許請求の範囲】
【請求項１】
電力分析表示装置と、
家庭内電力線を介して、前記電力分析表示装置に接続された複数の電力測定通知装置とを備える使用電力測定通知システムであって、
前記電力測定通知装置は、接続された家電製品の電力消費量情報を測定する電力測定部と、
前記電力測定部で測定した電力消費量情報を前記電力分析表示装置に送信、あるいは、前記電力分析表示装置からの通知命令を受信するＰＬＣ通信部と、
通知命令を受信したことを電力消費者に知らせるための通知部とを有し、
前記電力分析表示装置は、前記電力測定通知装置から送信された電力消費量情報を分析する分析部と、
前記分析部で分析した分析結果を前記各電力測定通知装置ごとにランキングで表示する表示部と、
前記表示部に表示された電力測定通知装置を選択する選択部と、
前記各電力測定通知装置から送信された電力消費量情報を受信、あるいは、前記選択部で選択された電力測定通知装置に対して通知命令を送信するＰＬＣ通信部とを有し、
家電製品ごとの電力消費状況に応じた通知を利用者へ発行することを特徴とする使用電力測定通知システム。
【発明の詳細な説明】
【技術分野】
【０００１】
本発明は、使用電力測定通知システムに係り、特に、電力消費者に対して、家電製品の使用電力量を簡便、かつ、セキュアに測定し通知する方法に関する。
【背景技術】
【０００２】
近年、地球環境の保護に資するべく、消費電力を減らすことに関する技術が種々提案されている。このような技術の一つに、電化製品毎の電力使用量を測定し電力消費量の大きい電化製品を認識させる技術がある。（例えば、下記、特許文献１参照）
【０００３】
なお、本願発明に関連する先行技術文献としては以下のものがある。
【特許文献１】特開２００７−１３９５２３号公報
【発明の開示】
【発明が解決しようとする課題】
【０００４】
しかしながら、前述した特許文献１に記載されている使用電力量の測定には、家電製品ごとに使用電力量を電力消費者に提示するために、コンセントに接続された家電製品の情報が必要であった。
そのため、コンセント毎に家電製品の情報を入力するため手間がかかり、また、使用電力量や接続された家電製品などの情報をインターネットなどの通信網を介して送信するため情報漏えいの危険があった。
本発明は、前記従来技術の問題点を解決するためになされたものであり、本発明の目的は、電力消費者に対して、家電製品の使用電力量を簡便、かつ、セキュアに測定し通知することができる使用電力測定通知システムを提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の目的を達成するために、本発明は、電力分析表示装置と、家庭内電力線を介して、前記電力分析表示装置に接続された複数の電力測定通知装置とを備える使用電力測定通知システムであって、前記電力測定通知装置は、接続された家電製品の電力消費量情報を測定する電力測定部と、前記電力測定部で測定した電力消費量情報を前記電力分析表示装置に送信、あるいは、前記電力分析表示装置からの通知命令を受信するＰＬＣ通信部と、通知命令を受信したことを電力消費者に知らせるための通知部とを有し、前記電力分析表示装置は、前記電力測定通知装置から送信された電力消費量情報を分析する分析部と、前記分析部で分析した分析結果を前記各電力測定通知装置ごとにランキングで表示する表示部と、前記表示部に表示された電力測定通知装置を選択する選択部と、前記各電力測定通知装置から送信された電力消費量情報を受信、あるいは、前記選択部で選択された電力測定通知装置に対して通知命令を送信するＰＬＣ通信部とを有し、家電製品ごとの電力消費状況に応じた通知を利用者へ発行することを特徴とする。
【発明の効果】
【０００６】
本願において開示される発明のうち代表的なものによって得られる効果を簡単に説明すれば、下記の通りである。
本発明の使用電力測定通知システムによれば、電力消費者に対して、家電製品の使用電力量を簡便、かつ、セキュアに測定し通知することが可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例の使用電力測定通知システムの概略構成を示すブロック図である。
同図に示す通り、本実施例の使用電力測定通知システムは、電力分析表示装置４０と、家庭内電力線５０を介して接続された複数の電力測定通知装置（２０−ａ，２０−ｂ）とで構成される。
まず、各電力測定通知装置（２０−ａ，２０−ｂ）について説明する。
家庭内の家電製品（１０−ａ，１０−ｂ）は、電力測定通知装置（２０−ａ，２０−ｂ）を介してコンセント（３０−ａ，３０−ｂ）に接続される。
各電力測定通知装置（２０−ａ，２０−ｂ）は、電力量測定部（２１−ａ，２１−ｂ）と、ＰＬＣ通信部（２２−ａ，２２−ｂ）と、通知部（２３−ａ，２３−ｂ）とを有する。
電力量測定部（２１−ａ，２１−ｂ）は、接続された家電製品（１０−ａ，１０−ｂ）の電力使用量を測定する。測定した電力使用量情報はＰＬＣ通信部（２２−ａ，２２−ｂ）に出力される。電力量測定部（２１−ａ，２１−ｂ）はこの処理を定期的に行う。
ＰＬＣ通信部（２２−ａ，２２−ｂ）は、家庭内電力線５０を利用して、電力測定部（２１−ａ，２１−ｂ）から出力された電力使用量情報を送信する（所謂、電力線通信、あるいはＰＬＣ（Power Line Communication））。送信したデータは、家庭内電力線５０を介して接続されている電力分析表示装置４０により受信される。
なお、通知部（２３−ａ，２３−ｂ）については後述する。
【０００８】
次に、電力分析表示装置４０について説明する。
電力分析表示装置４０は、複数の電力測定通知装置（２０−ａ，２０−ｂ）が接続されている家庭内電力線５０に、コンセント（３０−ａ，３０−ｂ，３０−ｃ）を介して接続されている。
電力分析表示装置４０は、電力量分析部４１と、表示部４２と、選択部４３と、ＰＬＣ通信部４４とから構成される。
ＰＬＣ通信部４４は、各電力測定通知装置（２０−ａ，２０−ｂ）のＰＬＣ通信部（２２−ａ，２２−ｂ）から送信された電力使用量情報を受信する。受信したデータは電力量分析部４１に出力される。
電力量分析部４１は、ＰＬＣ通信部４４から出力された情報を蓄積し、蓄積した結果を電力測定通知装置（２０−ａ，２０−ｂ）ごとに合計値を計算する。計算結果を使用電力量の高い順にランキング形式に並び替え表示部４２に出力する。
表示部４２は、電力量分析部４１が出力したデータを表示する。電力消費者は、表示されたランキングを元に、使用電力量が高い家電製品（１０−ａ，１０−ｂ）に接続されている電力測定通知装置（２０−ａ，２０−ｂ）を確認することができる。
電力消費者は、選択部４３により、表示部４２に表示された電力通知測定装置（２０−ａ，２０−ｂ）を選択することができる。選択した電力通知測定装置の情報はＰＬＣ通信部４４に出力される。
ＰＬＣ通信部４４は、選択部４３から出力された情報に対応する電力測定通知装置（２０−ａ，２０−ｂ）に対して通知命令を送信する。
【０００９】
ＰＬＣ通知部（２２−ａ，２２−ｂ）は、電力分析表示装置４０から通知命令を受信すると電力消費者に通知を行う。例えば、通知部がＬＥＤの場合は点滅して通知を行う。ブザーの場合は音で通知を行う。
つまり、通知部（２３−ａ，２３−ｂ）が電力消費者に通知を行うために、電力消費者は該当する家電製品（１０−ａ，１０−ｂ）の情報を入力する必要がない。
以上説明したように、本実施例の使用電力測定通知システムでは、家電製品の情報を入力するのではなく、通知部（２３−ａ，２３−ｂ）により通知することで手間をかけないで、簡便に家電製品を特定することができる。
また、すべての通信情報は、家庭内の電力線内にしか送信されないため情報漏えいのリスクを下げることができる。
このように、本実施例の使用電力測定通知システムによれば、簡便、かつ、セキュアな電力測定および通知が可能であり、家庭内に閉じた電力線を使用する場合において有効である。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１０】
【図１】本発明の実施例の使用電力測定通知システムの概略構成を示すブロック図である。
【符号の説明】
【００１１】
１０−ａ，１０−ｂ  家電製品
２０−ａ，２０−ｂ  電力測定通知装置
２１−ａ，２１−ｂ  電力量測定部
２２−ａ，２２−ｂ  電力測定通知装置内のＰＬＣ通信部
２３−ａ，２３−ｂ  通知部
３０−ａ，３０−ｂ，３０−ｃ  コンセント
４０  電力分析表示装置
４１  電力量分析部
４２  表示部
４３  選択部
４４  電力分析表示装置内のＰＬＣ通信部
５０  家庭内電力線
【図１】
2009281855.tif 000003